(57)【要約】【課題】物理的な係合力により引き出し本体を引き出す両面引き出しで、長期の使用に耐える両面引き出しを提供することをその課題とする。【解決手段】前化粧板１に上保持レール５を設け、後化粧板２に下保持レール６を設け、上保持レール５と下保持レール６間に引き出し本体１５の両側部に外方に突出形成した案内レール７を介在させ、前化粧板１により上保持レール５に保持された上操作磁石８を移動させると上連結磁石９が下方に突出し引き出し本体１５の案内レール７に係合して上保持レール５と引き出し本体１５を連結し、後化粧板２により下保持レール６に保持された下操作磁石１０を移動させると下連結磁石１１が上方に突出し引き出し本体１５の案内レール７に係合し下保持レール６と引き出し本体１５を連結する構造を有する両面引き出し。【選択図】図１
2007089654.tif 000002
【特許請求の範囲】
【請求項１】
連通した空洞部内に引き出し本体が収納され、空洞部の両入り口には空洞部より大きな化粧板が設置されており、化粧板を開ける方向に引いたときに引き出し本体を係合して化粧板と共に引き出し本体を引き出すことができる両面引き出しにおいて、一方の化粧板に上保持レールを設け、他方の化粧板に下保持レールを設け、上保持レールと下保持レール間に引き出し本体の両側部に外方に突出形成した案内レールを介在させ、一方の化粧板により上保持レールに保持された上操作磁石を移動させると上連結磁石が下方に突出し引き出し本体の案内レールに係合して上保持レールと引き出し本体を連結し、他方の化粧板により下保持レールに保持された下操作磁石を移動させると下連結磁石が上方に突出し引き出し本体の案内レールに係合し下保持レールと引き出し本体を連結する構造を有することを特徴とする両面引き出し。
【発明の詳細な説明】
【技術分野】
【０００１】
本発明は両面より引き出すことができる両面引き出しに関するものである。さらに詳しく述べれば、空洞部の両入り口には空洞部より大きな化粧板が設置されており、操作磁石を移動させることにより、化粧板を開ける方向に引いたときに連結磁石により引き出し本体を物理的に係合して化粧板と共に引き出し本体を引き出すことができる両面引き出しに関するものである。
【背景技術】
【０００２】
従来から特許文献１に示される如く、空洞部よりも大きな化粧板を設置し、該化粧板には引き出し本体を係合して引き出すことのできる係合装置を設置した両面引き出しは知られており、更に、係合装置としてマグネット式プッシュラッチを用いることも知られている。
【０００３】
この従来の両面引き出しでは、化粧板を閉めた状態では化粧板に固定したマグネット式プッシュラッチは磁力で引き出し本体に吸着していない。引き出し本体を開けるためには化粧板を少し押しマグネット式プッシュラッチの磁力を作用させ引き出し本体に取付けられた鉄板を吸着し、化粧板を引き出すと引き出し本体が引き出されるものである。引き出しを閉めるときには、化粧板を空洞部の入り口に当たるまで押し、その後、化粧板を少し引いて引き出し本体の鉄板からマグネット式プッシュラッチを離し、マグネット式プッシュラッチの磁力の作用をなくすのである。
【特許文献１】特開２００４−８１７５８号公報  （要約及び図１）
【発明の開示】
【発明が解決しようとする課題】
【０００４】
上記特許文献１における両面引き出しは、引き出し本体を開けるためには化粧板を少し押しマグネット式プッシュラッチの磁力を作用させ引き出し本体に取付けられた鉄板を吸着し、化粧板を引き出すと引き出し本体が引き出されるものであり、引き出し本体に収納した収納物によってはマグネット式プッシュラッチの磁力は強力なものである必要があり、又、経年及び周囲の環境により磁力が低下することも考慮する必要がある。
【０００５】
本発明は、磁力により引き出し本体に取付けられた鉄板を吸着し、吸着力により引き出し本体を引き出すものでなく、突出自在に設けた連結磁石を引き出し本体に係合して引き出すものであり、物理的な係合力により引き出し本体を引き出す両面引き出しを提供するものである。
【課題を解決するための手段】
【０００６】
上記課題を解決するために、本発明に係る両面引き出しは、請求項１に記載した如く、連通した空洞部内に引き出し本体が収納され、空洞部の両入り口には空洞部より大きな化粧板が設置されており、化粧板を開ける方向に引いたときに引き出し本体を係合して化粧板と共に引き出し本体を引き出すことができる両面引き出しにおいて、一方の化粧板に上保持レールを設け、他方の化粧板に下保持レールを設け、上保持レールと下保持レール間に引き出し本体の両側部に外方に突出形成した案内レールを介在させ、一方の化粧板により上保持レールに保持された上操作磁石を移動させると上連結磁石が下方に突出し引き出し本体の案内レールに係合して上保持レールと引き出し本体を連結し、他方の化粧板により下保持レールに保持された下操作磁石を移動させると下連結磁石が上方に突出し引き出し本体の案内レールに係合し下保持レールと引き出し本体を連結する構造でなるものである。
【発明の効果】
【０００７】
請求項１に記載の両面引き出しは、粧板化と引き出し本体の連結が連結磁石の突出により物理的に係合されるために、磁力により係合力が変化あるいは減少する恐れがなく、周囲の環境に影響されることも少なく長期間の使用に耐えるものである。更に、化粧板と引き出し本体の連結の力を増大させる必要がある場合には磁力を高める必要がなく、単に連結磁石の強度を大にすればよく、極めて容易に行えるものである。
【発明を実施するための最良の形態】
【０００８】
以下、本発明の実施形態について図面を参照して、詳細に説明する。図１は全体図であり、１は前化粧板、２は後化粧板、３は前操作部、４は後操作部、５は上保持レール、６は下保持レール、７は引き出し本体の案内レール、８は上操作磁石、９は上連結磁石、１０は下操作磁石、１１は下連結磁石、１２は空洞部を形成する枠体である。
【０００９】
前化粧板１、後化粧板２は共に枠体１２の空洞部より大きなもので、前化粧板１と後化粧板２のいずれか一方が引き出されても他方は空洞部を閉鎖している。前操作部３はワイヤ１３で上操作磁石９を操作するものであり、後操作部４はワイヤ１４で下操作磁石１０を操作するものである。上保持レール５は前化粧板１に結合され、上連結磁石９を下方に突出自在に保持しているものである。下保持レール６は後化粧板２に結合され、下連結磁石１１を上方に突出自在に保持しているものである。
【００１０】
図２は、前化粧板１に設けられた前操作部３を操作しワイヤ１３で上操作磁石８を移動させ上連結磁石９を下方に突出させ案内レール７に係合させ案内レール７を設けた引き出し本体１５と上保持レール５を連結した状態を示すもので、図３はその要部拡大図である。
【００１１】
前化粧板１が閉鎖している場合、上操作磁石８と上連結磁石９は異極が対向して吸着しているものである。次に、上操作磁石８が移動し磁力が及ばなくなると上連結磁石９は下方に突出して引き出し本体１５の案内レール７に係合するのであり、図４はその係合した状態を示す説明図である。この状態で前化粧板１を引くと上保持レール５と引き出し本体１５が上連結磁石９により連結されているために引き出し本体１５が引き出されるものである。
【００１２】
図５は、前化粧板１、後化粧板２が共に閉鎖された状態における後化粧板２の要部拡大図であり、下操作磁石１０と下連結磁石１１は同極が対向しており、接近するとたがいに反発するもので、ワイヤ１４で下操作磁石１０を移動させ下連結磁石１１に接近させるとその反発力により下連結磁石１１が上方に突出し引き出し本体１５の案内レール７と係合し、図６、７に示す如く、下保持レール６と引き出し本体１５は連結されたことになる。
【００１３】
この状態で後化粧板２を引くと、下保持レール６と引き出し本体１５が連結されているために引き出し本体１５が引き出されるものである。図８はこの係合した状態を示す説明図である。前化粧板１、後化粧板２を閉鎖した状態にするときは、上操作磁石８、下操作磁石１０を各々元の位置に戻せば、上連結磁石９、下連結磁石１１の各々の連結が解かれることになる。このようにこの両面引き出しでは、上連結磁石９、下連結磁石１１による物理的係合により前化粧板１、後化粧板２と引き出し本体１５が連結されているために、係合力に変化は生じ難く、長期の使用に耐えるものである。
【図面の簡単な説明】
【００１４】
【図１】本発明にかかる両面引き出しの全体図。
【図２】図１に示す実施例の前化粧板の動作状態を示す説明図。
【図３】図２に示す動作状態の要部拡大図。
【図４】図２における連結状態を示す説明図。
【図５】図１に示す実施例の後化粧板の閉鎖状態を示す要部拡大図。
【図６】図１に示す実施例の後化粧板の動作状態を示す説明図。
【図７】図６に示す動作状態の要部拡大図。
【図８】図６における連結状態を示す説明図。
【符号の説明】
【００１５】
１        前化粧板
２        後化粧板
３        前操作部
４        後操作部
５        上保持レール
６        下保持レール
７        案内レール
８        上操作磁石
９        上連結磁石
１０      下操作磁石
１１      下連結磁石
１２      空洞部
１３      ワイヤ
１４      ワイヤ
１５      引き出し本体
【図１】
2007089654.tif 000003
【図２】
2007089654.tif 000004
【図３】
2007089654.tif 000005
【図４】
2007089654.tif 000006
【図５】
2007089654.tif 000007
【図６】
2007089654.tif 000008
【図７】
2007089654.tif 000009
【図８】
2007089654.tif 000010